(57)【特許請求の範囲】
【請求項１】
燃料ガスの燃焼熱により浴槽水を加熱して所定温度に保温制御する保温手段と、
給水路に供給される水を燃料ガスの燃焼熱により加熱して給湯する給湯部と、
燃料ガスの連続供給状態に基づくガス遮断機能付ガス計量器の遮断動作防止の為、上記保温手段による燃焼動作を所定期間の間強制的に禁止する燃焼禁止手段と
を備えた給湯器付強制循環式風呂装置において、
浴室内の明るさが所定レベル以上か否かを判断する明るさ判断手段を備え、
上記燃焼禁止手段による燃焼動作の強制禁止は、上記所定レベルの明るさが得られていない場合に行なうが、上記給湯部が燃焼中の場合には行なわないことを特徴とする給湯器付強制循環式風呂装置。
【請求項２】
上記明るさ判断手段は、浴槽水の保温温度を設定するための風呂リモコンに設けられることを特徴とする請求項１記載の給湯器付強制循環式風呂装置。
【請求項３】
上記燃焼禁止手段による燃焼動作の強制禁止中に、上記明るさ判断手段により浴室内の明るさが上記所定レベル未満の状態から所定レベル以上の状態に切り替わったと判断した場合には、上記保温手段による保温制御を開始することを特徴とする請求項１又は２記載の給湯器付強制循環式風呂装置。
【請求項４】
燃料ガスの燃焼熱により浴槽水を加熱して所定温度に保温制御する保温手段と、
給水路に供給される水を燃料ガスの燃焼熱により加熱して給湯する給湯部と、
燃料ガスの連続供給状態に基づくガス遮断機能付ガス計量器の遮断動作防止の為、上記保温手段による燃焼動作を所定期間の間強制的に禁止する燃焼禁止手段と
を備えた給湯器付強制循環式風呂装置において、
浴室内の人の存在を直接検出する人体検出手段を備え、上記燃焼禁止手段による燃焼動作の強制禁止は、上記人体検出手段により浴室内に人の存在を検出していない場合に行なうが、上記給湯部が燃焼中の場合には行なわないことを特徴とする給湯器付強制循環式風呂装置。
【発明の詳細な説明】
【０００１】
【発明の属する技術分野】
本発明は保温機能を備えた給湯器付強制循環式風呂装置に関する。
【０００２】
【従来の技術】
従来から、浴槽水を所定周期で循環させて湯温を測定し、湯温の低下を検出した場合にはガス燃焼により追い焚きして設定温度に維持する保温機能を備えた強制循環式風呂装置が知られている。最近では、浴槽水を循環させて浄化する温水浄化装置を備え、浴槽水の保温だけでなく、温水浄化により常に浴槽内の温水が清潔に保たれるようにした、いわゆる２４時間風呂も使われるようになってきている。こうした２４時間風呂においては、何ヵ月も浴槽水を入れ替える必要がなく２４時間いつでも入浴することができ、しかも節水効果もあるという優れた機能を有している。
【０００３】
【発明が解決しようとする課題】
ところで、各家庭のガス引込口に設けられるガス計量器には、ガス洩れを検出した時にガスを遮断する機能を備えたものがある。こういったガス計量器は通常マイコンメータとよばれているが、２４時間風呂を使用していると、マイコンメータによりガス洩れでないにもかかわらずガス洩れと判断されてガスを遮断されてしまう恐れがある。通常マイコンメータは、３０日間の間に１時間以上の連続したガス未使用期間を検出できなかった場合に、パイロット等の連続使用か、配管等からの洩れがあると判断してガスを遮断する。温水循環装置を備えた強制循環式風呂装置の場合、２４時間常に保温のために燃焼と休止とを繰り返す状態が続くため、燃焼動作を多く必要とする条件下（浴槽の保温状態が悪い、気温が低い等）では、３０日間の間に１時間以上の連続したガス未使用期間が一度もとれないことがある。この場合、ガス洩れでないにもかかわらず、３０日間を越えた時点でマイコンメータがガス洩れと判断してガスを遮断してしまうことになる。
【０００４】
このような問題を解決するために、実開平７−４２９１４では２４時間タイマーと、ガス湯沸器の運転を一定時間停止させる休止時間を記憶する記憶手段を備えることにより、毎日決まった時間にガスバーナの運転を強制的に一定時間停止させることによって、マイコンメータによりガス洩れと判断されることを防ぐという構成をとっている。
【０００５】
しかしながら、このような構成では毎日決まった時間に一定時間以上の休止時間が強制的にとられるため、冬場の深夜に入浴する様な場合にこの休止時間と重なってしまうと、所定の湯温が得られず、２４時間いつでも入浴できるという利点が犠牲になっている。
本発明の給湯器付強制循環式風呂装置は上記課題を解決し、マイコンメータによりガス洩れと誤判断されることを防止すると共に、常に快適な入浴ができる給湯器付強制循環式風呂装置を提供することを目的とする。
【０００６】
【課題を解決するための手段】
上記課題を解決する本発明の請求項１記載の給湯器付強制循環式風呂装置は、
燃料ガスの燃焼熱により浴槽水を加熱して所定温度に保温制御する保温手段と、
給水路に供給される水を燃料ガスの燃焼熱により加熱して給湯する給湯部と、
燃料ガスの連続供給状態に基づくガス遮断機能付ガス計量器の遮断動作防止の為、上記保温手段による燃焼動作を所定期間の間強制的に禁止する燃焼禁止手段と
を備えた給湯器付強制循環式風呂装置において、
浴室内の明るさが所定レベル以上か否かを判断する明るさ判断手段を備え、
上記燃焼禁止手段による燃焼動作の強制禁止は、上記所定レベルの明るさが得られていない場合に行なうが、上記給湯部が燃焼中の場合には行なわないことを要旨とする。
【０００７】
上記課題を解決する本発明の請求項２記載の給湯器付強制循環式風呂装置は、請求項１記載の給湯器付強制循環式風呂装置において、
上記明るさ判断手段は、浴槽水の保温温度を設定するための風呂リモコンに設けられることを要旨とする。
【０００８】
上記課題を解決する本発明の請求項３記載の給湯器付強制循環式風呂装置は、請求項１又は２記載の給湯器付強制循環式風呂装置において、
上記燃焼禁止手段による燃焼動作の強制禁止中に、上記明るさ判断手段により浴室内の明るさが上記所定レベル未満の状態から所定レベル以上の状態に切り替わったと判断した場合には、上記保温手段による保温制御を開始することを要旨とする。
【０００９】
上記課題を解決する本発明の請求項４記載の給湯器付強制循環式風呂装置は、
燃料ガスの燃焼熱により浴槽水を加熱して所定温度に保温制御する保温手段と、
給水路に供給される水を燃料ガスの燃焼熱により加熱して給湯する給湯部と、
燃料ガスの連続供給状態に基づくガス遮断機能付ガス計量器の遮断動作防止の為、上記保温手段による燃焼動作を所定期間の間強制的に禁止する燃焼禁止手段と
を備えた給湯器付強制循環式風呂装置において、
浴室内の人の存在を直接検出する人体検出手段を備え、
上記燃焼禁止手段による燃焼動作の強制禁止は、上記人体検出手段により浴室内に人の存在を検出していない場合に行なうが、上記給湯部が燃焼中の場合には行なわないことを要旨とする。
【００１０】
上記構成を有する本発明の請求項１記載の給湯器付強制循環式風呂装置は、給水路に供給される水を燃料ガスの燃焼熱により加熱して給湯するとともに、浴槽水を燃料ガスの燃焼熱により加熱して所定温度に保温制御する。ここで、ガス計量器にはガス洩れを検出した時にガスを遮断するガス遮断機能を備えたものがあり、所定期間の間に所定時間以上連続したガス未使用期間（一般には３０日間に６０分間以上の連続ガス未使用期間）を一度も検出できなかった場合にガス洩れと判断する。そのため、保温手段による燃焼動作の連続停止時間が６０分間以上得られない状態が続くと、ガス計量器がガス洩れと判断してガスを遮断してしまう。こういった不具合を防ぐため、保温手段による燃焼動作を所定時間（６０分間以上）の間強制的に禁止する。この燃焼動作の強制禁止は、浴室内の明るさが所定レベル以上得られていないと判断した場合に行なう。即ち、浴室内に人がいる場合には通常浴室照明が点灯されることから、浴室内の明るさにより浴室内に人がいるか否かを判断し、浴室内に人がいない場合、つまり浴室内が暗い場合に燃焼動作の強制禁止を行なうのである。このように人がいないと判断した時に燃焼動作の強制禁止を行なうため、燃焼動作の強制禁止により使い勝手が損なわれることを防ぐことができる。
但し、給湯部が燃焼中の場合には、上述した保温手段の燃焼動作の強制禁止は行なわない。給湯部が燃焼している場合には、ガス計量器により燃料ガスの流れが検出されているため、保温手段の燃焼動作の強制禁止をしても意味がないからである。
【００１１】
上記構成を有する本発明の請求項２記載の給湯器付強制循環式風呂装置は、浴槽水の保温温度を設定するための風呂リモコンに明るさ判断手段が設けられる。一般に、風呂リモコンは浴室の壁面に設置されることから、この設置位置から浴室の明暗を十分判断できる。従って、明るさ判断手段をこの風呂リモコンに設けることができ、別体で設ける必要がないため、システム全体を安価に構成することができる。
【００１２】
上記構成を有する本発明の請求項３記載の給湯器付強制循環式風呂装置は、燃焼動作の強制禁止中に明るさ判断手段により浴室内の明るさが所定レベル未満の状態から所定レベル以上の状態に切り替わったと判断した場合には、保温手段による保温制御を直ちに開始する。つまり、浴室照明が点灯された時は、人が今から入浴しようとしている状況であると判断して、直ちに保温制御を開始するので、湯温が冷めている場合には素早く所定温度にまで昇温し、快適な入浴状態とすることができる。
【００１３】
上記構成を有する本発明の請求項４記載の給湯器付強制循環式風呂装置は、給水路に供給される水を燃料ガスの燃焼熱により加熱して給湯するとともに、浴槽水を燃料ガスの燃焼熱により加熱して所定温度に保温制御する。ここで、ガス計量器にはガス洩れを検出した時にガスを遮断するガス遮断機能を備えたものがあり、所定期間の間に所定時間以上連続したガス未使用期間（一般には３０日間に６０分間以上の連続ガス未使用期間）を一度も検出できなかった場合にガス洩れと判断する。そのため、保温手段による燃焼動作の連続停止時間が６０分間以上得られない状態が続くと、ガス計量器がガス洩れと判断してガスを遮断してしまう。こういった不具合を防ぐため、保温手段による燃焼動作を所定時間（６０分間以上）の間強制的に禁止する。この燃焼動作の強制禁止は、人体検出手段により浴室に人の存在を検出していない場合に行なう。このように人がいない時に燃焼動作の強制禁止を行なうため、燃焼動作の強制禁止により使い勝手が損なわれることを防ぐことができる。
但し、給湯部が燃焼中の場合には、上述した保温手段の燃焼動作の強制禁止は行なわない。給湯部が燃焼している場合には、ガス計量器により燃料ガスの流れが検出されているため、保温手段の燃焼動作の強制禁止をしても意味がないからである。
【００１４】
【発明の実施の形態】
以上説明した本発明の構成・作用を一層明らかにするために、以下本発明の給湯器付強制循環式風呂装置の好適な実施例について説明する。
図１は、本発明の一実施例としての給湯器付強制循環式風呂装置の概略構成図である。この給湯器付強制循環式風呂装置（以下、単に風呂装置と呼ぶ）１は、浴槽水を循環加熱する循環加熱部１０と、通水される水を加熱して給湯する給湯部３０と、これらの動作を制御するコントローラ５０とからなる。
【００１５】
循環加熱部１０は、浴槽水を循環させる循環路１１と、循環路１１の途中に設けられバーナ１２の燃焼熱により加熱される熱交換器１３と、熱交換器１３の上流側循環路１１で通水を検出する水流スイッチ１４と、水流スイッチ１４の上流側に設けられ浴槽水を循環させる循環ポンプ１５と、循環ポンプ１５の上流側で水圧を検出する圧力センサ１６と、圧力センサ１６の上流側で循環される浴槽水の湯温を検出する浴槽サーミスタ１７と、浴槽サーミスタ１７の上流側で浴槽水を浄化する温水浄化装置１８とを備える。循環路１１は、往き配管３，戻り配管４に接続され浴槽２と連通する。
【００１６】
温水浄化装置１８は、髪の毛等の異物を取り除くフィルターと、微細な異物を取り除き細菌を殺菌するバクテリア繁殖部材とを備える。バクテリア繁殖部材には麦飯石や天然セラミック等が用いられ、バクテリア等の微生物を繁殖部材に着床させ循環される浴槽水を浄化することで、長期間にわたって浴槽水を清潔に保つことができる。
【００１７】
給湯部３０は、水が供給される給水路３１と、給水路３１の途中に設けられバーナ３２により加熱される熱交換器３３と、熱交換器３３の下流側に接続される出湯路３４と、出湯路３４を分岐して設けられる風呂給湯路３５，一般給湯路３６とで流路を構成する。給水路３１には入水流量を検出する流量センサ３７が、出湯路３４には出湯温を検出する出湯サーミスタ３８が設けられる。
【００１８】
出湯路３４から分岐した風呂給湯路３５は、浴槽２への給湯流量を検出する浴槽流量センサ３９と、この流路の開閉を行なう給水弁４０と、縁切り弁としてのホッパー４１と、循環加熱部１０からの逆流を防止する逆止弁４２とを備え、循環加熱部１０に接続される。一方、出湯路３４から分岐した一般給湯路３６には、洗面所，シャワー等の給湯口５に通じる外部給湯管６が接続される。
【００１９】
また風呂装置１には、ガスの計量器であるマイコンメータ７０を介してガスが供給される。風呂装置１のガス供給路２０には、ガス流路を開閉する元電磁弁２１が設けられ、その下流で循環加熱部１０及び給湯部３０の各々のガス供給路２２，２３へと分岐している。これらのガス供給路２２，２３にはガス流路を開閉するメイン電磁弁２４，２５がそれぞれ設けられ、各々独立した燃焼制御が行なわれる。また給湯部３０のガス流路２３には、ガス供給量を調節する比例弁２６が設けられる。
尚、循環加熱部１０及び給湯部３０においては、図示しないが燃焼用空気を供給するファンや、点火装置，燃焼安全装置等が設けられる。
【００２０】
コントローラ５０は、循環加熱制御，給湯制御等を司どるもので、図示しない周知の算術論理演算回路を構成するＣＰＵ，ＲＡＭ，ＲＯＭと、各種センサからの信号を入力する入力インタフェースと、各種のアクチュエータに駆動信号を出力する出力インタフェース等から構成される。またコントローラ５０は、浴室内のリモコン６０に接続される。
【００２１】
リモコン６０は、図２に示すように、運転を開始する運転スイッチ６１，所定量の湯張りを行なって浴槽の湯温を一定に保つ自動スイッチ６２，浴槽水の追焚動作を行なうあつめスイッチ６３，設定温度を増減する増減スイッチ６４，設定される温度及び設定時刻等を表示する表示器６５等を備える。また、風呂リモコン６０の外ケース上面には、浴室内の照度を検出する照度センサ６６が設けられる。この照度センサ６６は、可視光線に対して感度が良いＣｄＳを用いる。
尚、ＣｄＳは光によって電気抵抗が変化する特性を備えており、その抵抗値によって照度を検出する。
【００２２】
マイコンメータ７０は、ガス供給会社により各家庭のガス供給管に取付けられ、一定時間毎にガス流量を監視して使用状況が正常かどうかを判断し、異常があった場合にはガス遮断弁を閉じて異常表示する。マイコンメータ７０はマイコンメータ７０内のガスメータが１回転もしない時間が６０分間以上続いた場合には、ガスの流れが無いと判断する。また、マイコンメータ７０が３０日間以上連続して流量を検知した時は、配管等の洩れがあると判断してガスを遮断する。このため、風呂装置１が保温モードに入っている場合において、冬場などで頻繁に追焚き動作が行なわれるケースでは、３０日間で１度も連続６０分間以上のガス未使用期間がとれなくなり、マイコンメータ７０によりガスが遮断されてしまう。
【００２３】
こうした誤判断を防ぐためには、３０日間の間に連続６０分間以上のガス未使用期間をとることが必要である。しかしながら、３０日間に１回風呂装置１の燃焼動作を６０分間以上停止させたとしても、その間に他のガス器具７が使用された場合には、マイコンメータ７０はガスの流れを感知するため誤判断の防止にはならない。そのため本実施例では、２４時間で６５分間のガス未使用期間を少なくとも１回以上とるようにする。つまり、３０日間の間に十分な回数（３０回以上）のガス未使用期間をとり、ガス未使用期間内に他のガス器具が使用されている確率を低くすることで、誤判断を防止するのである。
尚、ここでガス未使用期間を６５分間としたのは、長めに設定することでマイコンメータとの誤差を防ぐためである。
【００２４】
次に、コントローラ５０の実行する保温制御処理について、図３のフローチャートを用いて説明する。本ルーチンは自動スイッチ６２の投入により、浴槽２への湯張りが完了した後に起動する（Ｓ１）。本ルーチンでは浴槽水の保温制御を行なうが、保温動作は定期的（本実施例では２０分毎）に行なうため、その保温タイミングになるまで待機する（Ｓ２：ＮＯ）。その後保温タイミングになると（Ｓ２：ＹＥＳ）、照度センサ６６により浴室内の照度を検出し、照度が所定値以上であれば（Ｓ３：ＹＥＳ）、浴室内が明るく入浴者がいると判断して保温動作を開始する（Ｓ４）。保温動作では、循環ポンプ１５を駆動して浴槽水を循環させ、浴槽サーミスタ１７により湯温を検出する。この時、浴槽水は温水浄化装置１８を経由して循環されるため清潔に維持される。ここで、湯温が設定温度に達している場合には、バーナ１２の燃焼動作を行なわずに循環ポンプ１５を停止させて保温動作を終了するが、湯温が設定温度に達していない場合には、バーナ１２による燃焼動作を開始して循環される浴槽水を加熱する。その後、湯温が設定温度に達した時点で循環ポンプ１５を停止させると共にバーナ１２を消火し、保温動作を終了する。
【００２５】
一方ステップ３において、照度センサ６６による検出照度が所定値未満であった場合には（Ｓ３：ＮＯ）、浴室内が暗く入浴者がいないと判断して保温動作を強制的に禁止する。但し、フラグＦが０でない場合には（Ｓ５：ＮＯ）通常通り保温動作を開始する（Ｓ４）。このフラグＦは後述する燃焼停止継続時間カウント制御処理において説明するが、フラグＦが０の時には所定期間（本実施例では２４時間）内に一度も所定のガス未使用期間（本実施例では６５分間）がとれていないことを意味し、フラグＦが１の時には、所定のガス未使用期間が既にとれていることを意味するものである。つまり、２４時間の間に６５分間のガス未使用期間が１回もとれていない場合には保温動作を強制禁止することにより、２４時間の間に少なくとも１回とるようにしているのである。
【００２６】
また、保温動作の強制禁止中に照度センサ６６により所定値以上の照度を検出した場合には、保温動作を開始する。つまり、照度センサ６６により浴室内が明るくなったことを検出することにより、入浴者が入ってくると判断し、浴槽水の温度を設定温度まで加熱して快適な入浴状態にするのである。通常、浴槽照明をつけてから入浴するまでには時間があるため、入浴者が湯につかるまでの間に浴槽水を昇温させることができる。仮に、入浴開始前の保温動作の強制禁止により湯温が低下していても、入浴開始時には体が冷えていることから、あまりぬるいと感じなく、その後の適切な保温動作により、ぬるいと感じる前に昇温されるので問題ない。
【００２７】
次に、燃焼停止継続時間カウント制御処理について、図４のフローチャートを用いて説明する。本ルーチンは２４時間経過する毎に起動する（Ｓ６）。本ルーチンが起動すると、まず２４時間の間に６５分間のガス未使用期間がとれているかどうかを示すためのフラグＦをリセットし（Ｓ７）、ガス未使用期間がとれていない状態とする。そして、燃焼停止時間をカウントするタイマＴｘをリセットする（Ｓ８）。そして、バーナ１２が燃焼停止中であるかどうかを判断し、燃焼停止中でなければ（Ｓ９：ＮＯ）タイマＴｘをリセットする（Ｓ８）。一方、燃焼停止中であれば、タイマＴｘをインクリメントし（Ｓ１０）、タイマＴｘが６５分以上であるかどうかを判断する。タイマＴｘが６５分未満である場合には（Ｓ１１：ＮＯ）燃焼停止時間のカウントを継続する。また、タイマＴｘが６５分に達した場合には（Ｓ１１：ＹＥＳ）、フラグＦを１とし（Ｓ１２）、燃焼停止時間カウントルーチンを終了する。
【００２８】
このような制御により、浴室内が暗い場合に保温動作を強制禁止し、２４時間の間に６５分間のガス未使用期間が既にとれている場合には通常通りの保温動作を行なう。
【００２９】
以上説明したように、本実施例の風呂装置によれば、保温動作を強制的に禁止して２４時間に少なくとも１回６５分間のガス未使用期間をとることで、マイコンメータ７０の誤判断を防止することができる。また、保温動作の強制禁止を浴室が暗い時に行なうことで、入浴時の保温性能を損ねないため常に快適な入浴ができる。更に、照度センサ６６をリモコン６０に設けることで、照度センサ６６を別体で設ける必要がないため、システム全体を安価に構成することができると共に、設置が楽であり、デザイン的にもよい。加えて、保温動作の強制禁止中に浴室照明が点灯された場合には直ちに保温動作を開始することで、すみやかに湯温を設定温度に保つため、保温動作の強制禁止中に入浴される場合にも快適な入浴ができる。
【００３０】
尚、本実施例においては、６５分間のガス未使用期間を少なくとも２４時間に１回得られるように保温動作の強制禁止を行なったが、この期間や回数はこれに限ったものではなく、例えば浴室が暗い時には保温動作を強制禁止し、ガス未使用期間が得られた後には保温動作を開始して、設定温度に達した時点で再び保温動作を強制禁止するといったように、浴室が暗い期間中は常にガス未使用期間をとるようにしてもよい。このようにすれば、ガス未使用期間をより多くとることができるため、マイコンメータ７０の誤判断をより確実に防ぐことができる。
また、照度センサ６６には、浴室外からの自然光を遮蔽し、浴室照明の方向に指向性をもったカバーを設ける構成であってもよい。 この場合、昼間の自然光によって明るい浴室にリモコン６０が設置された場合であったとしても照度センサ６６は浴室内に入浴者がいないと判断するため、判断がより正確になる。
また、浴室に人がいるかいないかを浴室内の照度によって判断することに加えて、操作ボタンによる操作の有無により判断してもよい。このようにすれば、人の有無をより確実に判断できるため、使い勝手が向上する。
また、給湯部３０の使用がある場合、つまり給湯部３０のバーナ３２が燃焼中の場合には保温動作の強制禁止を行なわないようにする。給湯部３０のバーナ３２が燃焼している場合にはマイコンメータ７０によりガスの流れを検出しているため、循環加熱部１０で保温動作の強制禁止をしても意味がないからである。このようにすれば、ガス未使用期間の信頼性が向上し、マイコンメータ７０の誤判断をより確実に防ぐことができる。
【００３１】
以上本発明の実施例について説明したが、本発明はこうした実施例に何等限定されるものではなく、本発明の要旨を逸脱しない範囲において、種々なる態様で実施し得ることは勿論である。
例えば、本実施例では照度センサ６６により入浴者の有無を判断したが、浴室内の人を直接検出する人体検出センサを用いても同様の効果を得ることができる。このような人体の検出は、例えば人体から放射される赤外線を検出する赤外線温度センサや、赤外線を発信しその反射により人体の有無を検出する赤外線センサ，超音波を発信しその反射により人体の有無を検出する超音波センサ等様々なセンサにより可能である。
【００３２】
【発明の効果】
以上詳述したように、本発明の請求項１記載の給湯器付強制循環式風呂装置によれば、浴室の明るさにより浴室内に人がいるか否かを判断し、人がいないと判断した場合に燃焼動作の強制禁止を行なう。そのため、ガス計量器によりガス洩れと判断されてガスが遮断されてしまうことを防ぐことができると共に、入浴時の保温性能を損ねないため常に快適な入浴ができる。
また、給湯部の燃焼中には、無意味な保温手段の燃焼動作の強制禁止は行なわない。
【００３３】
更に、本発明の請求項２記載の給湯器付強制循環式風呂装置によれば、明るさ判断手段を別体で設ける必要がないため、システム全体を安価に構成することができる。また設置も楽であり、デザイン的にもよい。
【００３４】
更に、本発明の請求項３記載の給湯器付強制循環式風呂装置によれば、浴室照明が点灯されると直ちに保温制御を開始することで、すみやかに湯温を所定温度に保つため、燃焼動作の強制禁止中に入浴される場合にも快適な入浴ができる。
【００３５】
更に、本発明の請求項４記載の給湯器付強制循環式風呂装置によれば、人体検出手段により浴室内の人の存在を検出し、人の存在を検出していない場合に燃焼動作の強制禁止を行なう。そのため、ガス計量器によりガス洩れと判断されてガスが遮断されてしまうことを防ぐことができると共に、入浴時の保温性能を損ねないため常に快適な入浴ができる。
また、給湯部の燃焼中には、無意味な保温手段の燃焼動作の強制禁止は行なわない。
【図面の簡単な説明】
【図１】一実施例としての給湯器付強制循環式風呂装置の概略構成図である。
【図２】リモコンの外観図である。
【図３】保温制御処理を表わすフローチャートである。
【図４】燃焼停止継続時間カウント制御処理を表わすフローチャートである。
【符号の説明】
１０…循環加熱部、  １２…バーナ、  １５…循環ポンプ、
１７…浴槽サーミスタ、  １８…温水浄化装置、  ３０…給湯部、
５０…コントローラ、  ６０…リモコン、  ６６…照度センサ、
７０…マイコンメータ。
【図１】
0003629628.tif 000002
【図２】
0003629628.tif 000003
【図３】
0003629628.tif 000004
【図４】
0003629628.tif 000005